(57)【要約】【課題】配線を短くでき、さらに、放電灯の直径より細型の照明器具を実現でき、加えて、薄型の照明器具を実現できる放電灯点灯装置、照明器具および照明装置を提供する。【解決手段】照明装置１０は、放電灯１９と、放電灯１９を点灯させる放電灯点灯装置１７と、放電灯１９を保持するとともに放電灯点灯装置１７を内蔵する照明器具１６との組み合わせたものである。この照明装置１０は、放電灯点灯装置１７の幅寸法Ｗ１が放電灯１９の直径Ｄ１より短く又は少なくとも略同等に設定されている。【選択図】図２
2011090992.tif 000002
【特許請求の範囲】
【請求項１】
放電灯と、前記放電灯を点灯させる放電灯点灯装置と、前記放電灯を保持するとともに前記放電灯点灯装置を内蔵する照明器具との組み合わせにおいて、
前記放電灯点灯装置の幅寸法を前記放電灯の直径よりも短く又は少なくとも略同等にしたことを特徴とする放電灯点灯装置。
【請求項２】
放電灯と、前記放電灯を点灯させる放電灯点灯装置と、前記放電灯を保持するとともに前記放電灯点灯装置を内蔵する照明器具との組み合わせにおいて、
前記放電灯点灯装置の高さ寸法を、前記放電灯の直径よりも低く又は少なくとも略同等にしたことを特徴とする放電灯点灯装置。
【請求項３】
放電灯と、前記放電灯を点灯させる放電灯点灯装置と、前記放電灯を保持するとともに前記放電灯点灯装置を内蔵する照明器具との組み合わせにおいて、
前記放電灯点灯装置を前記照明器具に配設されたランプソケットよりも薄く又は少なくとも略同等にしたことを特徴とする放電灯点灯装置。
【請求項４】
請求項１〜請求項３に記載した前記放電灯点灯装置は、
前記放電灯点灯装置のプリント基板が金属製のケースで梱包されたことを特徴とする。
【請求項５】
請求項１〜請求項３に記載した放電灯点灯装置は、
前記放電灯点灯装置のプリント基板が絶縁シートで梱包されたことを特徴とする。
【請求項６】
請求項１〜請求項５に記載した放電灯は直径２５．５ｍｍ以下のランプを対象としたことを特徴とする放電灯点灯装置。
【請求項７】
請求項６に記載した放電灯はランプ長手方向の両端部から口金を除去して、口金を照明器具側に向けることで光ムラのない均一な光が得られるランプであることを特徴とする放電灯点灯装置。
【請求項８】
請求項１〜７に記載した放電灯点灯装置を内蔵したことを特徴とする照明器具。
【請求項９】
請求項１〜８に記載した放電灯と、前記放電灯を点灯させる放電灯点灯装置と、前記放電灯を保持するとともに前記放電灯点灯装置を内蔵する照明器具とを組み合わせたことを特徴とする照明装置。
【発明の詳細な説明】
【技術分野】
【０００１】
本発明は、間接照明等に用いる放電灯点灯装置、放電灯点灯装置を設けた照明器具、および放電灯点灯装置や照明器具を設けた照明装置に関するものである。
【背景技術】
【０００２】
図５に示す照明装置１００は、主として照明器具１０１、反射板１０２、ランプ管１０３、ランプソケット１０４、放電灯点灯装置１０５から構成された富士型の照明器具である。
ここで、ランプソケット１０４と放電灯点灯装置１０５は電源電圧および電源線（不図示）で電気的に接続され、電源を投入することにより、放電灯点灯装置１０５からランプ管１０３に対して所定の電力が供給されてランプ管１０３が点灯する（例えば、特許文献１参照）。
【０００３】
富士型の照明装置１００のように、一般的な施設用照明器具の場合、内蔵されている放電灯点灯装置１０５の形状は略直方体であることが一般的である。すなわち、施設用照明器具に適合するランプ管１０３が直管であり、照明器具１０１の形状も長方形となるため、放電灯点灯装置１０５の形状を直方体にすることで器具本体に最も効率的に取り付けられるからである。
【０００４】
この富士型の照明装置１００は、主に光源から出た光を直接空間に照射させることで、空間全体を明るくする所謂「ベース照明」と呼ばれている。
ところで、施設用照明器具として「ベース照明」の他に所謂「間接照明」がある。間接照明とは、光源から出た光を直接空間に照射させず、壁や床面に反射させて室内の照度を確保する照明手法である。
【０００５】
特に最近の店舗照明業界や住宅照明業界においては、これら間接照明による雰囲気作りに重点を置いた照明空間設計が望まれており、その手段として「間接照明」が多用されている。
「間接照明」として、図６に示すように天井部１１０の近傍に仕切部１１１を設けることで凹部１１２を形成し、凹部１１２や壁面１１３に照明装置１１４の器具１１５を設置し、蛍光灯１１６の光を天井部１１０に照射して、その反射光で室内１１７を明るくする所謂「コーブ照明」と呼ばれる照明手法がある。
また、「間接照明」には、「コーブ照明」の他に、図７に示すように天井部１１０と壁部１１３が接する付近に仕切縁（回り縁）１１８を設け、その内側空間１１９に照明装置１２０の器具１２１を配設し、蛍光灯１２２の光を下向き放射する所謂「コーニス照明」と呼ばれるものがある。
【０００６】
図６、図７の照明手法に用いられる照明装置１１４，１２０は天井部１１０や壁部１１３などの建築構造物の一部に埋め込まれ、建築構造物と一体化された照明であり、図５に示す照明装置１００の「ベース照明」に対して「建築化照明」とも呼ばれている。
「建築化照明」は、住設備の関係上、照明装置１１４，１２０の設置スペースを、可能な限り省スペースにしたいという要求が強く、照明装置１１４，１２０に対して「より小型化」、「より薄型化」が求められている。
【先行技術文献】
【特許文献】
【０００７】
【特許文献１】特開平１１−２３８４１０号公報
【発明の概要】
【発明が解決しようとする課題】
【０００８】
ところで、照明装置１１４，１２０の「間接照明」は、一般に空間全体の陰影をやわらげ、人の目にやさしく映りこむ、柔らかな雰囲気の空間作りを演出できる特徴を有する。このため、前述した「建築化照明」には「小型化」、「薄型化」と併せて「切れ目のない連続性のある光」が求められている。
「切れ目のない連続性のある光」を直管型蛍光灯で実現しようとした場合、直管型蛍光灯はランプ管の端部に口金が設けられているため光らない。このため、図８に示すように２本のランプ管１２６の端部１２６ａを意図的にずらして重ね合わせて連続性のある光を実現している。
【０００９】
しかし、２本のランプ管１２６を重ね合わせた結果、照明装置１２５の幅Ｗ２を広くする必要があり、照明装置１２５の小型化に対して改良の余地がある。
ところで、近年、図９に示すようにランプ管１３１の長手方向の両端部１３１ａに口金を設ける代わりに口金１３２を照明器具１３３側に向けて設けた通称「シームレスランプ」と呼ばれる照明装置１３０が開発されている。
「シームレスランプ」によれば、照明装置１３０の長手方向に対してランプ管１３１の両端部１３１ａまで均等な輝度を確保できる。
【００１０】
「シームレスランプ」を用いることでランプ管１３１の端部１３１ａをずらして重ね合わせる必要がなく、よりコンパクトな照明装置１３０を実現することができる。
ここで、従来の「建築化照明」は、図１０（Ａ），（Ｂ）に示す照明装置１３５のように、ランプ管１３６の直径寸法Ｄ３より照明器具１３７の幅寸法Ｗ３が大きく、「シームレスランプ」の特徴を十分に活かしきれていない。
【００１１】
また、ＨＦランプやＦＬランプのような直管型蛍光灯の場合、図１１に示す照明装置１４０のようにランプ管１４１の両端部１４１ａに口金１４２があり、口金１４２からランプピン１４２ａが横向きに突出している。
このため、照明装置１４０は、照明器具１４３のランプソケット１４４をランプ管１４１の直径以下にできないため、結果的に照明装置１４０を薄型化することが難しい。
【００１２】
ところが、「シームレスランプ」は、図９に示すようにランプ管１３１の側面１３１ｂに口金１３２が設けられており、ランプピン１３４が照明器具１３３側に向いている。
よって、ランプソケットの寸法についてはランプピン１３４の長さだけ確保できればよい。
しかし、「建築化照明」に用いられている放電灯点灯装置１３３ａの高さ寸法は、一般的に略２０〜４０ｍｍ度あるため、仮にランプソケットを薄くしても、このままでは照明装置１３０を薄くできない。
【００１３】
照明装置１３０を薄くする手段として、図１２に示す照明装置１４５のように放電灯点灯装置１４６を照明器具１５１から分離させた別置型とし、天井裏１４７に放電灯点灯装置１４６だけを配設する方法が考えられる。
しかし、放電灯点灯装置１４６を別置型にした場合、放電灯点灯装置１４６を天井裏１４７という施工者の手１４８の届きにくい場所に配置しなければならない。このため、施工者の手１４８が取付孔１４９に入り難い等、照明装置１４５の施工性が悪く、放電灯点灯装置１４６の交換作業に手間がかかってしまう。
【００１４】
加えて、放電灯点灯装置１４６を別置型にした場合、放電灯点灯装置１４６を照明装置１５１に内蔵したものと比較して放電灯点灯装置１４６から放電灯１５３までの配線１５２を長くする必要がある。
このように、配線１５２を長くすると、始動電圧の低下に伴う始動不良や雑音の増加、漏洩電流の増加など様々な影響が考えられ好ましくない。
【００１５】
本発明は、前述した課題を解決するためになされたものであり、その目的は、配線を短くでき、さらに、放電灯の直径より細型の照明器具を実現でき、加えて、薄型の照明器具を実現できる放電灯点灯装置、照明器具および照明装置を提供することにある。
【課題を解決するための手段】
【００１６】
本発明に係る放電灯点灯装置は、放電灯と前記放電灯を点灯させる放電灯点灯装置と前記放電灯を保持するとともに前記放電灯点灯装置を内蔵する照明器具の組み合わせにおいて、前記放電灯点灯装置の幅寸法を前記放電灯の直径よりも短く又は少なくとも略同等にしたことを特徴とする。
【００１７】
本発明においては、放電灯点灯装置の幅寸法を放電灯の直径よりも短く又は少なくとも略同等にすることで、照明器具の小型化を実現でき、建築化照明などの照明器具の設置スペースを十分に確保できない場合には効果を得ることができる。
【００１８】
本発明に係る放電灯点灯装置は、放電灯と前記放電灯を点灯させる放電灯点灯装置と前記放電灯を保持するとともに前記放電灯点灯装置を内蔵する照明器具の組み合わせにおいて、前記放電灯点灯装置の高さ寸法を、前記放電灯の直径よりも低く又は少なくとも略同等にしたことを特徴とする。
【００１９】
本発明においては、放電灯点灯装置の高さ寸法を放電灯の直径よりも低く又は少なくとも略同等にすることで、横方向から見た場合に照明器具を目立たないようにできる。
【００２０】
本発明に係る放電灯点灯装置は、放電灯と前記放電灯を点灯させる放電灯点灯装置と前記放電灯を保持するとともに前記放電灯点灯装置を内蔵する照明器具の組み合わせにおいて、前記放電灯点灯装置を前記照明器具に配設されたランプソケットよりも薄く又は少なくとも略同等にしたことを特徴とする。
【００２１】
本発明においては、放電灯点灯装置を照明器具に配設されたランプソケットよりも薄く又は少なくとも略同等にすることで、天井裏のスペースの面でメリットがある。
加えて、照明器具の厚みを薄くすることができれば、天井に直接取り付けることも可能となり、施工面においても大きな効果を得ることができる。
【００２２】
本発明に係る放電灯点灯装置は、放電灯点灯装置のプリント基板が金属製のケースで梱包されたことを特徴とする。
【００２３】
本発明においては、放電灯点灯装置のプリント基板を金属製のケースで梱包することでプリント基板のノイズを抑えることができる。
【００２４】
本発明に係る放電灯点灯装置は、放電灯点灯装置のプリント基板が絶縁シートで梱包されたことを特徴とする。
【００２５】
本発明においては、放電灯点灯装置のプリント基板を絶縁シートで梱包することで、放電灯点灯装置を器具本体から電気的に絶縁することができる。
【００２６】
本発明に係る放電灯点灯装置は、放電灯は直径２５．５ｍｍ以下のランプを対象としたことを特徴とする。
【００２７】
本発明においては、放電灯を直径２５．５ｍｍ以下のランプを対象とすることで照明装置１０の小型化を実現できる。
【００２８】
本発明に係る放電灯は、ランプ長手方向の両端部から口金を除去して、口金を照明器具側に向けることで光ムラのない均一な光が得られるランプであることを特徴とする。
【００２９】
本発明においては、ランプ管の両端部から口金を除去することで、光ムラのない均一な光を得ることができる。
これにより、放電灯を連結して点灯させた場合に連続性のある光を演出できるので、特に「建築化照明」の用途において有効である。
【００３０】
本発明に係る照明器具は、前記放電灯点灯装置を内蔵したことを特徴とする。
【００３１】
本発明においては、照明器具に放電灯点灯装置を内蔵することで、すなわち、照明器具および放電灯点灯装置を一体に設けることで、施工性の容易化を確保でき、放電灯点灯装置から放電灯までの配線を短く抑えることができる。
【００３２】
本発明に係る照明装置は、放電灯と、前記放電灯を点灯させる放電灯点灯装置と、前記放電灯を保持するとともに前記放電灯点灯装置を内蔵する照明器具とを組み合わせたことを特徴とする。
【００３３】
本発明においては、照明器具と同様に、照明器具に放電灯点灯装置を内蔵することで、すなわち、照明器具および放電灯点灯装置を一体に設けることで、施工性の容易化を確保でき、放電灯点灯装置から放電灯までの配線を短く抑えることができる。
【発明の効果】
【００３４】
本発明の照明器具および照明装置によれば、照明器具および放電灯点灯装置を一体に設けることで、照明器具および放電灯点灯装置の施工性を確保できる施工性を確保できる。
さらに、照明器具および放電灯点灯装置を一体に設けて放電灯点灯装置から放電灯までの配線を短く抑え、始動電圧の低下に伴う始動不良や雑音の増加、漏洩電流の増加などを抑えることができるという効果を有する。
【００３５】
さらに、本発明の放電灯点灯装置によれば、天井部や壁部などの建築構造物の一部に照明器具を埋め込んで建築物と一体化された所謂「建築化照明」に代表されるような、照明器具の設置スペースが限られている場所に用いられる照明器具において、照明器具に内蔵される放電灯点灯装置の外形寸法を、適合放電灯の直径と同等以下にしたことで、放電灯の直径よりも細型の照明器具を実現することができるという効果を有する。
【００３６】
加えて、本発明の放電灯点灯装置によれば、照明をインテリアの一部としてランプ自体の特徴を目立たせる所謂「デザイン照明」において、照明器具に内蔵される放電灯点灯装置の高さを、照明器具に取り付けられているランプソケットの厚みと同等以下にすることで、照明器具の厚みが目立たない薄型の照明器具を実現することができるという効果を有する。
【図面の簡単な説明】
【００３７】
【図１】本発明に係る第１実施形態の照明装置を示す正面図
【図２】図１の照明装置を示す側面図
【図３】本発明に係る第２実施形態の照明装置を示す側面図
【図４】本発明に係る第３実施形態の照明装置を示す正面図
【図５】従来の「ベース照明」を示す分解斜視図
【図６】従来の「コーブ照明」を示す側面図
【図７】従来の「コーニス照明」を示す側面図
【図８】従来のランプ管の端部を重ね合わせた状態を示す底面図
【図９】従来の「シームレスランプ」を示す正面図
【図１０】（Ａ）は従来の「シームレスランプ」のランプ管直径および照明器具幅を示す斜視図、（Ｂ）は（Ａ）の「シームレスランプ」のランプ管直径および照明器具幅を示す側面図
【図１１】従来のランプ管の口金からランプピンを横向きに突出させた照明装置を示す側面図
【図１２】従来の放電灯点灯装置を別置型とした照明装置を示す側面図
【発明を実施するための形態】
【００３８】
以下、本発明の複数の実施の形態に係る放電灯点灯装置１７，３３，５３、照明器具１６，３２，５２、および照明装置１０，３０，５０について図面を参照して説明する。
【００３９】
（第１実施形態）
図１、図２に示すように、本発明の第１実施形態である照明装置１０は、建築構造物１１の仕切部１２に設けられた照明器具１６と、照明器具１６に内蔵された放電灯点灯装置１７と、照明器具１６に設けられたランプソケット１８と、ランプソケット１８に取り付けられた放電灯１９とを備えた「建築化照明」（一例としてコーブ照明）である。
【００４０】
仕切部１２は、壁部１３の上部から天井部１４に沿って張り出された部位である。
ここで、「建築化照明」とは、従来技術で説明したように、建築構造物１１の一部（壁部１３や天井部１４など）に照明器具を埋め込み、建築構造物１１と一体化された照明をいう。
「コーブ照明」とは、放電灯１９の光を天井面に当て、その反射光により室内２１を明るくする照明をいう。
【００４１】
この照明装置１０は、照明器具１６に放電灯点灯装置１７が内蔵されている。
照明器具１６に放電灯点灯装置１７を内蔵することで、照明器具１６および放電灯点灯装置１７が一体に設けられている。これにより、放電灯点灯装置１７を別置型とした場合と比較して照明装置１０の施工性を高めることができる。
【００４２】
さらに、照明器具１６および放電灯点灯装置１７を一体に設けることで、放電灯点灯装置１７から放電灯１９までのランプ配線（図示せず）を短く抑えることができる。
ランプ配線を短く抑えることで、始動電圧の低下に伴う始動不良や雑音の増加、漏洩電流の増加などを抑えることができる。
【００４３】
放電灯１９は、両端部１９ａの側面１９ｂから照明器具１６に向けて口金２３が設けられた通称「シームレスランプ」と呼ばれるランプ管である。
放電灯１９として「シームレスランプ」を用いることで、放電灯１９の両端部１９ａ全体に口金２３を設ける必要がない。よって、放電灯１９の長手方向全域において光ムラのない均一な光を得ることができる。
これにより、複数の放電灯１９を直列に連結した場合に、複数の放電灯１９を連結した部位において連続性のある光を演出できるので、特に「建築化照明」の用途において有効である。
【００４４】
この放電灯１９は、直径Ｄ１が２５．５ｍｍ以下のランプ管（所謂「Ｔ８管」）が用いられている。放電灯１９の直径Ｄ１を２５．５ｍｍ以下とすることで照明装置１０の小型化を実現できる。
放電灯１９は、口金２３のソケットピン２３ａがランプソケット１８に機械的に固定されることにより照明器具１６に保持されている。
【００４５】
ランプソケット１８は、ランプ配線（図示せず）で放電灯点灯装置１７に電気的に接続されている。ランプソケット１８に取り付けられた放電灯１９は、放電灯点灯装置１７に電気的に接続されている。
よって、照明装置１０に電源を投入することにより、放電灯点灯装置１７から放電灯１９に対して所定の電力が供給されて放電灯１９が点灯する。
【００４６】
放電灯点灯装置１７は、放電灯１９を点灯させる装置であり、電子部品２５が実装されているプリント基板２６をポリエステルフィルム製の絶縁シート２７で梱包されることにより照明器具１６と電気的に絶縁されている。
なお、絶縁シート２７は、ポリエステルフィルムに限定するものではなく、その他の材質のシートを用いることも可能である。
【００４７】
放電灯点灯装置１７は、放電灯点灯装置１７の外形寸法のうち、幅寸法Ｗ１が放電灯１９の直径Ｄ１よりも短く又は少なくとも略同等に設定されている。
これにより、照明装置１０の小型化を実現でき、「建築化照明」などの照明装置１０の設置スペースを十分に確保できない場合には効果的である。
【００４８】
ここで、放電灯点灯装置１７の長さＬ１は、放電灯１９の長さＬ２以下で、且つ照明器具１６に取り付け可能な長さであれば照明器具１６から突出することがないため特に問わない。
また、放電灯点灯装置１７の高さＨ１は、照明器具１６に内蔵することができる高さであれば特に問題はない。ここで、仮に放電灯点灯装置１７の高さＨ１を低く抑えることができれば、低く抑えることで仕切部１２と天井部１４との距離Ｌ３を小さくできるので、図２のように「建築化照明」などの照明装置１０を配置するスペースが少ない場合にはより効果が期待できる。
【００４９】
（第２実施形態）
つぎに、第２実施形態の照明装置３０および第３実施形態の照明装置５０を図３、図４に基づいて説明する。
なお、第２実施形態および第３実施形態において第１実施形態の照明装置１０と同一・類似部材については同じ符号を付して説明を省略する。
【００５０】
図３に示すように、本発明の第２実施形態の照明装置３０は、建築構造物１１の壁部１３に設けられた照明器具３２と、照明器具３２に内蔵された放電灯点灯装置３３と、照明器具３２に設けられたランプソケット（図示せず）と、ランプソケットに取り付けられた放電灯３５とを備えた「建築化照明」（一例としてコーブ照明）である。
【００５１】
放電灯（シームレスランプ）３５は、第１実施形態の放電灯１９と同じシームレスランプである。
放電灯３５は、第１実施形態の照明装置１０と同様に口金３６がランプソケットに機械的に固定されている。
【００５２】
このランプソケットはランプ配線（図示せず）で放電灯点灯装置３３に電気的に接続されている。ランプソケットに取り付けられた放電灯３５は、放電灯点灯装置３３に電気的に接続されている。
よって、電源を投入することにより、放電灯点灯装置３３から放電灯３５に対して所定の電力が供給されて放電灯３５が点灯する。
【００５３】
放電灯点灯装置３３は、電子部品３７が実装されているプリント基板３８を絶縁シート３９を介して金属製のケース（以下「金属ケース」という）４１に梱包されることにより照明器具３２と電気的に絶縁されている。
加えて、電子部品３７およびプリント基板３８を金属ケース４１で梱包することで、電子部品３７およびプリント基板３８のノイズを抑えることができる。
なお、絶縁シート３９は、一例として、ポリエステルフィルムが用いられるが、このフィルムに限定するものではなく、その他の材質のシートを用いることも可能である。
【００５４】
放電灯点灯装置３３は、放電灯点灯装置３３の外形寸法のうち、高さ寸法Ｈ２が放電灯３５の直径Ｄ２よりも低く又は少なくとも略同等に設定されている。
【００５５】
ここで、例えば、照明器具３２が屋側部などに取り付けられた場合は、湿気や結露による影響を回避するために放電灯点灯装置３３には耐結露型が用いられることが多い。
この耐結露型の放電灯点灯装置３３は、電子部品３７に樹脂を塗布することで、結露した水滴（水分）が電子部品３７に直接触れるのを防いでいる。
【００５６】
しかし、放電灯点灯装置３３に水分が溜まってくると、徐々に水が侵食して電子部品３７に影響が出てくる可能性がある。このため、金属ケース４１の下部に開口部４２を設けることで、金属ケース４１内に溜まった水分を排出している。
よって、図３に示すように、放電灯点灯装置３３を金属ケース４１の開口部４２が下向きになるように取り付けることが好ましい。
【００５７】
ここで、放電灯点灯装置３３の高さ寸法Ｈ２を放電灯３５の直径Ｄ２よりも低く又は少なくとも略同等にすることにより、横方向から見た場合に照明器具３２を目立たないようにできる。
特に、放電灯３５がシームレスランプの場合、放電灯３５の両端部３５ａまで均一に光るため、放電灯３５の特徴を活かして放電灯３５自体を目立たせる所謂「デザイン照明」として使用することも可能である。
この「デザイン照明」においては照明器具３２を極力目立たないようにしたいという要求が強いため、第２実施形態の照明器具３０による効果が期待できる。
【００５８】
なお、放電灯点灯装置３３（金属ケース４１）の長さについては放電灯３５の長さ以下で、且つ照明器具３２に取り付けることができる長さであれば照明器具３２から突出することがないため特に問題はない。
同様に、放電灯点灯装置３３（金属ケース４１）の幅についても照明器具３２に内蔵することができるものであれば特に問題はない。
【００５９】
（第３実施形態）
図４に示すように、本発明の第３実施形態の照明装置５０は、建築構造物１１の仕切部１２に設けられた照明器具５２と、照明器具５２に内蔵された放電灯点灯装置５３と、照明器具５２に設けられたランプソケット５４と、ランプソケット５４に取り付けられた放電灯５５とを備えた「建築化照明」（一例としてコーブ照明）である。
【００６０】
放電灯５５は、第１実施形態の放電灯１９と同じシームレスランプである。
この放電灯５５は、第１実施形態の照明装置１０と同様に、照明器具５２の上方向から口金５６がランプソケット５４に機械的に接続されている。
【００６１】
ランプソケット５４はランプ配線（図示せず）で放電灯点灯装置５３に電気的に接続されている。ランプソケット５４に取り付けられた放電灯５５は、放電灯点灯装置５３に電気的に接続されている。
よって、電源を投入することにより、放電灯点灯装置５３から放電灯５５に対して所定の電力が供給されて放電灯５５が点灯する。
【００６２】
放電灯点灯装置５３は、電子部品５７が実装されているプリント基板５８を絶縁シート５９を介して金属製のケース（以下「金属ケース」という）６１に梱包されることにより照明器具５２と電気的に絶縁されている。
加えて、電子部品５７およびプリント基板５８を金属ケース６１で梱包することで、電子部品５７およびプリント基板５８のノイズを抑えることができる。
なお、絶縁シート５９は、一例として、ポリエステルフィルムが用いられるが、このフィルムに限定するものではなく、その他の材質のシートを用いることも可能である。
【００６３】
放電灯点灯装置５３は、放電灯点灯装置５３の外形寸法のうち、高さ寸法Ｈ３が照明器具５２に配設されたランプソケット５４の厚さ寸法Ｔ１よりも薄く設定されている。
【００６４】
ここで、例えばランプソケット５４の場合、照明器具５２の上方向からランプピン５６ａをランプソケット５４の内部に差し込んで、電気的に接続できればよい。
このため、照明装置５０はランプソケット５４の高さを構造上ある程度低くすることができ、これまで以上に薄型の照明装置５０を提供することが可能となる。
【００６５】
特に、埋め込み型の照明器具５２は照明器具５２の薄さというのは天井裏のスペースの観点から有利である。
また、照明器具５２の厚さ寸法Ｔ２を小さく抑えることで、天井部１４（図２参照）に直接取り付けることも可能となり、施工面の観点からも大きな効果を得ることができる。
【００６６】
ここで、放電灯点灯装置５３の長さ寸法Ｌ４や幅寸法については照明器具５２に取り付けられる寸法であれば特に問題はないが小さい程効果は大きい。
【００６７】
ところで、放電灯５５は寿命末期時に放電灯５５の口金５６が過熱し、その結果として口金５６周辺のランプソケット５４の樹脂部に影響を与えることが考えられる。
そこで、第３実施形態の放電灯点灯装置５３には放電灯５５の寿命末期時の特性変化を検知して放電灯５５への電力供給を制御する保護機能を付加している。
具体的には、放電灯５５の寿命末期時に想定される非対象電力の値を日本電球工業会から公表されている目標値以下となるように出力制御している。
【００６８】
なお、本発明に係る放電灯点灯装置１７，３３，５３、照明器具１６，３２，５２、および照明装置１０，３０，５０は、前述した第１実施形〜第３実施形態に限定されるものではなく適宜変更、改良などが可能である。
例えば、第１実施形〜第３実施形態では、照明装置１０，３０，５０を「コーブ照明」に適用して例について説明したが、これに限らないで、例えば「コーニス照明」などの他の照明に適用することも可能である。
【００６９】
また、前記第１実施形〜第３実施形態で使用した照明器具１６，３２，５２、放電灯点灯装置１７，３３，５３、ランプソケット１８，５４、放電灯１９，３５，５５、口金２３，３６，５６、プリント基板２６，３８，５８、絶縁シート２７，３９，５９および金属ケース４１，６１などの形状や構成は例示したものに限定するものではなく適宜変更が可能である。
【符号の説明】
【００７０】
１０，３０，５０  照明装置
１６，３２，５２  照明器具
１７，３３，５３  放電灯点灯装置
１８，５４  ランプソケット
１９，３５，５５  放電灯
２３，３６，５６  口金
２６，３８，５８  プリント基板
２７，３９，５９  絶縁シート
４１，６１  金属ケース（金属製のケース）
Ｄ１，Ｄ２  放電灯の直径
Ｈ２  放電灯点灯装置３３の高さ寸法
Ｈ３  放電灯点灯装置５３の高さ寸法
Ｔ１  ランプソケット５４の厚さ寸法
Ｗ１  放電灯点灯装置１７の幅寸法
【図１】
2011090992.tif 000003
【図２】
2011090992.tif 000004
【図３】
2011090992.tif 000005
【図４】
2011090992.tif 000006
【図５】
2011090992.tif 000007
【図６】
2011090992.tif 000008
【図７】
2011090992.tif 000009
【図８】
2011090992.tif 000010
【図９】
2011090992.tif 000011
【図１０】
2011090992.tif 000012
【図１１】
2011090992.tif 000013
【図１２】
2011090992.tif 000014